【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
発光クラスタ毎に発する光の輝度を制御可能な光源装置であって、
マトリクス状に配置された複数の発光クラスタを有し、
前記発光クラスタは、２行２列の４つのサブ発光クラスタを有し、
前記サブ発光クラスタは、第１の色の光を発する第１光源と、前記第１の色よりも輝度の違いが知覚されやすい第２の色の光を発する第２光源とを含む複数の光源を有し、
前記発光クラスタの中心と、当該発光クラスタが有する第２光源との間の距離は、前記発光クラスタの中心と、当該発光クラスタが有する第１光源との間の距離以上である
ことを特徴とする光源装置。
【請求項２】
発光クラスタ毎に発する光の輝度を制御可能な光源装置であって、
マトリクス状に配置された複数の発光クラスタを有し、
前記発光クラスタは、第１の色の光を発する第１光源と、前記第１の色よりも輝度の違いが知覚されやすい第２の色の光を発する第２光源とを含む複数の光源を有し、
前記発光クラスタが有する第２光源と、隣接する発光クラスタが有する第２光源との間の距離は、前記発光クラスタが有する第１光源と、隣接する発光クラスタが有する第１光源との間の距離よりも短い
ことを特徴とする光源装置。
【請求項３】
前記発光クラスタが有する第２光源と、隣接する発光クラスタが有する第２光源との間の距離は、前記発光クラスタが有する第１光源と、隣接する発光クラスタが有する第１光源との間の距離よりも短い
ことを特徴とする請求項１に記載の光源装置。
【請求項４】
前記発光クラスタは、２行２列の４つのサブ発光クラスタを有し、
前記サブ発光クラスタは、前記複数の光源を有し、
前記複数の光源のそれぞれの発光輝度は、前記発光クラスタから所定の色の光が発せられるように制御されるものであり、
前記第１光源は、前記複数の光源の中で最も高い輝度の光を発する光源であり、
前記第１光源は、前記サブ発光クラスタの中心に配置されている
ことを特徴とする請求項１〜３のいずれか１項に記載の光源装置。
【請求項５】
前記複数の光源は、赤色の光を発するＲ光源、緑色の光を発するＧ光源、及び、青色の光を発するＢ光源であり、
前記第１光源はＧ光源であり、
前記第２光源はＲ光源またはＢ光源である
ことを特徴とする請求項１〜４のいずれか１項に記載の光源装置。
【請求項６】
前記複数の光源は、シアン色の光を発するＣ光源、及び、赤色の光を発するＲ光源であり、
前記第１光源はＣ光源であり、
前記第２光源はＲ光源である
ことを特徴とする請求項１〜４のいずれか１項に記載の光源装置。
【請求項７】
前記発光クラスタは、２行２列の４つのサブ発光クラスタを有し、
前記サブ発光クラスタは、前記複数の光源を有し、
前記４つのサブ発光クラスタのうち、１行２列目に配置されているサブ発光クラスタが有する第１光源と第２光源、及び、２行１列目に配置されているサブ発光クラスタが有する第１光源と第２光源は、水平方向に対する角度が４５度の方向に並べて配置されており、
前記４つのサブ発光クラスタのうち、１行１列目に配置されているサブ発光クラスタが有する第１光源と第２光源、及び、２行２列目に配置されているサブ発光クラスタが有する第１光源と第２光源は、水平方向に対する角度が１３５度の方向に並べて配置されている
ことを特徴とする請求項１〜６のいずれか１項に記載の光源装置。
【請求項８】
前記発光クラスタは、２行２列の４つのサブ発光クラスタを有し、
前記サブ発光クラスタは、前記複数の光源を有し、
前記複数の光源は、直線状に配置されている
ことを特徴とする請求項１〜７のいずれか１項に記載の光源装置。
【請求項９】
前記発光クラスタは、２行２列の４つのサブ発光クラスタを有し、
前記サブ発光クラスタは、前記複数の光源を有し、
前記複数の光源は、円弧状に配置されている
ことを特徴とする請求項１〜６のいずれか１項に記載の光源装置。
【手続補正２】
【補正対象書類名】明細書
【補正対象項目名】００２３
【補正方法】変更
【補正の内容】
【００２３】
赤色ＬＥＤ１１と青色ＬＥＤ１２の配置についてより詳細に説明する。
本実施例では、以下の条件式１，２を満たすように、赤色ＬＥＤ１１と青色ＬＥＤ１２が配置される。条件式１，２において、Ａ１は、発光クラスタの中心Ｐ１と、当該発光クラスタが有する緑色ＬＥＤ１０との間の距離である。Ｂ１は、発光クラスタの中心Ｐ１と、当該発光クラスタが有する赤色ＬＥＤ１１との間の距離、及び、発光クラスタの中心Ｐ１と、当該発光クラスタが有する青色ＬＥＤ１２との間の距離である。Ｃ１は、発光クラスタが有する緑色ＬＥＤ１０と、隣接する発光クラスタが有する緑色ＬＥＤ１０との間の距離（緑色ＬＥＤ１０の垂直方向及び水平方向の間隔）である。Ｄ１は、発光クラスタが有する赤色ＬＥＤ１１と、隣接する発光クラスタが有する赤色ＬＥＤ１１との間の距離、及び、発光クラスタが有する青色ＬＥＤ１２と、隣接する発光クラスタが有する青色ＬＥ
Ｄ１２との間の距離である。
Ａ１≦Ｂ１  ・・・（条件式１）
Ｄ１＜Ｃ１  ・・・（条件式２）
条件式１は、発光クラスタの中心と、当該発光クラスタが有する赤色ＬＥＤ及び青色ＬＥＤとの間の距離が、発光クラスタの中心と、当該発光クラスタが有する緑色ＬＥＤとの間の距離以上であるという条件を表す式である。条件式２は、発光クラスタが有する緑色ＬＥＤと、隣接する発光クラスタが有する緑色ＬＥＤとの間の距離が、発光クラスタが有する赤色ＬＥＤ及び青色ＬＥＤと、隣接する発光クラスタが有する赤色ＬＥＤ及び青色ＬＥＤとの間の距離よりも長いという条件を表す式である。条件式１，２を満たす配置により、互いに隣接する発光クラスタ間の赤色ＬＥＤ１１の間隔及び青色ＬＥＤ１２の間隔を、互いに隣接する発光クラスタ間の緑色ＬＥＤ１０の間隔よりも短くすることができ、発光クラスタ間の色ムラを低減することができる。 
【手続補正３】
【補正対象書類名】明細書
【補正対象項目名】００２６
【補正方法】変更
【補正の内容】
【００２６】
なお、図１は、Ａ１＜Ｂ１の場合の例であるが、条件式１からもわかるように、Ａ１＝Ｂ１であってもよい。Ａ１＝Ｂ１の場合の一例を図４に示す。図４の例においても、条件式１，２が満たされるため、発光クラスタ間の色ムラを低減することができる。
なお、条件式２を満たせば、互いに隣接する発光クラスタ間の赤色ＬＥＤ１１の間隔及び青色ＬＥＤ１２の間隔を短くすることができ、発光クラスタ間の色ムラを低減することができる。そのため、条件式２のみを満たすように各光源が配置されてもよい。条件式２のみを満たす場合の一例を図５に示す。また、条件式１を満たすように配置すれば、満たさない場合に比べて、隣接する発光クラスタまでの赤色ＬＥＤと青色ＬＥＤの距離を短くすることができ、発光クラスタ間の色ムラを低減することができる。そのため、条件式１のみを満たすように各光源が配置されてもよい。
なお、図５からわかるように、緑色ＬＥＤはサブ発光クラスタの中心に配置されていなくてもよい。
なお、図１は、発光クラスタが２行２列の４つのサブ発光クラスタを有する場合の例であるが、発光クラスタはサブ発光クラスタを有していなくてもよい。発光クラスタがサブ発光クラスタを有さない場合の例を図６に示す。図６の例においても、条件式２が満たされるため、発光クラスタ間の色ムラを低減することができる。
なお、発光クラスタの中心と、当該発光クラスタが有する赤色ＬＥＤとの間の距離、及び、発光クラスタの中心と、当該発光クラスタが有する青色ＬＥＤとの間の距離は互いに異なっていてもよい。そして、発光クラスタが有する赤色ＬＥＤと、隣接する発光クラスタが有する赤色ＬＥＤとの間の距離、及び、発光クラスタが有する青色ＬＥＤと、隣接する発光クラスタが有する青色ＬＥＤとの間の距離は、互いに異なっていてもよい。そのような構成であっても、条件式１、条件式２、または、それら両方を満たせば、発光クラスタ間の色ムラを低減することができる。